(57)【要約】【課題】冷房運転時のサーモオフ状態のように結露水が存在する状態では極力室内送風機の運転を減少させて、臭気の発生を極力抑制するようにしてユーザーの快適性を維持することが可能な空気調和機を提供することを目的とする。【解決手段】少なくとも室内送風機と、室内温度検知手段とを有して構成される空気調和機であって、冷房運転時であって圧縮機が停止している状態において、前期室内送風機を間欠運転させて室内温度を検知し、室内温度差に基づいて前期室内送風機の間欠運転時間を変化させる手段を備えたものである。【選択図】  図１
2005024154.tif 000002
【特許請求の範囲】
【請求項１】
室内送風機と、室内温度検知手段とを有する空気調和機であって、冷房運転時であって圧縮機が停止している状態において、前期室内送風機を間欠運転させて室内温度を検知し、室内温度差に基づいて前期室内送風機の間欠運転時間を変化させることを特徴とする空気調和機。
【請求項２】
室内送風機と、室内温度検知手段とを有して構成される空気調和機であって、冷房運転時であって圧縮機が停止している状態において、前期室内送風機を間欠運転させて室内温度を検知し、室内温度と設定温度の差に基づいて前期室内送風機の間欠運転時間を変化させることを特徴とする空気調和機。
【発明の詳細な説明】
【０００１】
【発明の属する技術分野】
本発明は、空気調和機に関するものであり、詳しくは室内送風機の運転制御に関するものである。
【０００２】
【従来の技術】
従来の空気調和機の冷房運転時では運転経過と共にタバコ等の生活臭が室内熱交換器に付着し、例えば冷房運転時のように水分が発生することにより臭いを発生させる原因となっていた。このような臭いの発生を抑えるため、冷房運転時室内送風機を制御することにより、室内熱交換器のフィン表面のぬれはじめのように室内熱交換器に付着した生活臭が発生しやすい時には、圧縮機の運転開始から所定時間室内送風機を停止し、フィン表面に結露水を発生させて臭い成分を流し出すようにして臭気発生を抑えていた。
【０００３】
また、冷房運転時、圧縮機停止から所定時間経過後にも室内送風機を停止することにより室内熱交換器のフィン表面の乾きはじめに熱交換器に付着した生活臭が発生しやすい時に室内送風機を停止するため、臭気発生を抑えていた。
【０００４】
また、冷房運転時、圧縮機停止から予め設定されている所定時間経過後に一定時間室内送風機を運転することにより、いわゆるサーモオフ状態であって室内送風機が停止されている状態でも室内温度のサンプリングを行うようにしていた。
【０００５】
また、冷房運転時、室内送風機運転開始から所定時間、および圧縮機停止から室内送風機を停止するまでの所定時間は室内送風機を微弱風量にて運転し室内送風音の変化を和らげ、かつ極力臭気が発生しないように水分の蒸発量を抑えるようにしていた（例えば、特許文献１参照）。
【０００６】
【特許文献１】
特開平６−１４７６１９号公報
【０００７】
【発明が解決しようとする課題】
しかしながら、上記従来の構成でも臭気の発生をある程度抑制するという効果は期待できるものの、冷房運転時のサーもオフ状態の場合などのように熱交換器に水分が付着しており、かつ、サーモオフ状態からの復帰のために室内温度をサンプリングすべく室内送風機を運転しなければならない場合において、サンプリングは所定時間間隔ごとに定期的に実施されているため、このように室内送風機が運転されているときには、熱交換器などから臭気が発生してしまい、条件によってはユーザーにこの臭いによって不快感を与えかねないという課題を有していた。
【０００８】
本発明はこのような従来の課題に鑑みてなされたものであり、冷房運転時のサーモオフ状態のように結露水が存在する状態では極力室内送風機の運転を減少させて、臭気の発生を極力抑制するようにしてユーザーの快適性を維持することが可能な空気調和機を提供することを目的とする。
【０００９】
【課題を解決するための手段】
上記課題を解決するために本発明は、少なくとも室内送風機と、室内温度検知手段とを有して構成される空気調和機であって、冷房運転時であって圧縮機が停止している状態において、前期室内送風機を間欠運転させて室内温度を検知し、室内温度差に基づいて前期室内送風機の間欠運転時間を変化させる手段を備えたものである。
【００１０】
また、少なくとも室内送風機と、室内温度検知手段とを有して構成される空気調和機であって、冷房運転時であって圧縮機が停止している状態において、前期室内送風機を間欠運転させて室内温度を検知し、室内温度と設定温度の差に基づいて前期室内送風機の間欠運転時間を変化させる手段を備えたものである。
【００１１】
【発明の実施の形態】
以下、本発明の実施の形態について図面を参照して説明する。
【００１２】
（実施の形態１）
図１は本発明の空気調和機の冷凍サイクル図であり、冷凍サイクルは圧縮機１、室外熱交換器２、膨張弁３、室内熱交換器４を少なくとも順次連結することにより構成される。５は室内送風機、６は室外送風機、７は室内吸込み温センサーである。以上のような構成において、以下その動作について説明する。
【００１３】
冷房運転時に圧縮機１が停止すると、室内送風機５が所定時間（ｔ１：例えば１５秒）駆動し、その間、室内吸込み温センサー７にて室内温度を検知し、室内温度が所定温度（ｔａ）以下であれば、室内送風機５が所定時間（ｔ２：例えば１００秒）停止したのち、所定時間（ｔ１）を０秒とし、１度省略する。図８は従来の冷房運転時で圧縮機１が停止している場合の室内送風機運転停止のタイミング表、図９は従来の室内送風機５の動作を表すフローチャートであり、室内温度に関係なく一定のタイミングで間欠動作を繰り返していることが分かる。図２は本発明の実施形態１における室内送風機運転停止のタイミングを表したものである。図３は本発明の実施形態１における所定時間（ｔ１）省略ゾーンを表したグラフであり。図４は本発明の実施形態１における一連の室内送風機５の動作を表すフローチャートである。本発明では図２、図３、図４を見て分かるように、室内温度が所定温度（ｔａ）以下になると所定時間（ｔ１）を０秒にして１度省略することで室内送風機運転時間を減少することを可能にし室内送風機運転によって発生する臭気を抑制する効果がある。本発明は室内送風機運転時間を減少させることにより室内温度検出の精度は減少するが所定温度以下であれば、室内温度が充分冷えていると考えられるため、仮に所定時間（ｔ２）経過後に設定温度以上に室内温度が上昇していたとしても、不快感はないと思われる。
【００１４】
（実施の形態２）
次に本発明の第二の実施例を説明する。冷房運転時に圧縮機１が停止すると、室内送風機５が所定時間（ｔ１：例えば１５秒）駆動し、その間室内吸込み温センサー７にて検出された室内温度が設定温度に対して、設定値１（ｔｓ１  例えば：５Ｋ）以上低ければ、室内送風機５が所定時間（ｔ２：例えば１００秒）停止したのち、所定時間（ｔ１）を０秒とし、２度省略する。さらに、検出された室内温度が設定温度に対して、設定値２（ｔｓ２  例えば：２Ｋ）以上低く、かつ、設定値１（ｔｓ１）以下であれば所定時間（ｔ２）経過後の所定時間（ｔ１）を０秒とし、１度省略する。図８は従来の冷房運転時で圧縮機１が停止している場合の室内送風機運転停止のタイミング表、図９は従来の室内送風機５の動作を表すフローチャートであり、室内温度に関係なく一定のタイミングで間欠動作を繰り返していることが分かる。図５は本発明の実施形態２における室内送風機運転停止のタイミングを表したものである。図６は本発明の実施形態２における所定時間（ｔ１）省略ゾーンを表したグラフである。図７は本発明の実施形態２における一連の室内送風機５の動作を表すフローチャートである。本発明では図５、図６、図７を見て分かるように、室内温度と設定温度の差により所定時間（ｔ１）を０秒として省略することで室内送風機運転時間を減少することを可能にし室内送風機運転によって発生する臭気を抑制する効果がある。本発明は室内送風機運転時間を減らすことにより室内温度検出の精度は減少するが室内温度と、設定温度との差に基づいて室内送風機運転時間を調整することにより、温度差が近接する時は室内温度が設定温度に近づきやすいと考えられるために室内送風機運転時間を減らさず、温度差が充分ある時は室内送風機運転時間を減らしてもただちに吸込み設定温度に近づくことか無いと考えられるために正確な室内温度を検出つつ室内送風機運転時間を減らすことが可能である。
【００１５】
【発明の効果】
以上のように、本発明は、冷房運転時で圧縮機が停止すると所定時間（ｔ１）中に室内温度を検出し、検出された室内温度が所定温度以下であれば、所定時間（ｔ２）経過後の所定時間（ｔ１）を１度省略するもので、この構成によれば、室内送風機運転時間を減らすことが可能になり、室内送風機運転により発生する臭気を抑制する効果がある。本発明は室内送風機運転時間を減らすことにより室内温度検出の精度は減少するが所定温度以下であれば、室内温度が充分冷えていると考えられ、仮に所定時間（ｔ２）経過後に設定温度以上に室内温度が上昇していたとしても、不快感はないと考えられる。
【００１６】
また本発明は、冷房運転時で圧縮機が停止すると所定時間（ｔ１）中に室内温度を検出し、検出された室内温度が吸込み設定温度に対して、設定値１（ｔｓ１）以上低ければ、所定時間（ｔ２）経過後の所定時間（ｔ１）を２度省略する。さらに、検出された室内温度が吸込み設定温度に対して、設定値２（ｔｓ２）以上低くかつ、設定値１（ｔｓ１）以下であれば所定時間（ｔ２）経過後の所定時間（ｔ１）を１度省略する。この構成によれば、室内送風機運転時間を減らすことが可能になり、室内送風機運転により発生する臭気を抑制する効果がある。本発明は室内送風機運転時間を減らすことにより室内温度検出の精度は減少するが室内温度と、設定温度との差に基づいて室内送風機の運転時間を調整することにより、温度差が近接する時は室内温度が設定温度に近づきやすいと考えられるために室内送風機運転時間を減らさず、温度差が充分ある時は室内送風機運転時間を減らしてもただちに設定温度に近づくことが無いと考えられるために正確な室内温度を検出つつ、室内送風機運転時間を減らすことが可能である。
【図面の簡単な説明】
【図１】本発明の実施の形態１の空気調和機の冷凍サイクル図
【図２】本発明の実施の形態１の室内送風機運転停止のタイミング図
【図３】本発明の実施の形態１の所定時間（ｔ１）省略ゾーンのグラフ
【図４】本発明の実施の形態１の一連の室内送風機の動作を表すフローチャート
【図５】本発明の実施の形態２の室内送風機運転停止のタイミング図
【図６】本発明の実施の形態２の所定時間（ｔ１）省略ゾーンを表したグラフ
【図７】本発明の実施の形態２の一連の室内送風機の動作を表すフローチャート
【図８】従来の冷房運転時で圧縮機停止時の室内送風機運転停止のタイミング図
【図９】従来の室内送風機の動作を表すフローチャート
【符号の説明】
１  圧縮機
２  室外熱交換器
３  膨張弁
４  室内熱交換器
５  室内送風機
６  室外送風機
７  室内吸込み温センサー
【図１】
2005024154.tif 000003
【図２】
2005024154.tif 000004
【図３】
2005024154.tif 000005
【図４】
2005024154.tif 000006
【図５】
2005024154.tif 000007
【図６】
2005024154.tif 000008
【図７】
2005024154.tif 000009
【図８】
2005024154.tif 000010
【図９】
2005024154.tif 000011